(57)【要約】      （修正有）【課題】立体的に沈む手掘り感覚の優雅な凹み模様を表現した木質化粧板を提供する。【解決手段】ツキ板素地１の裏面に接着材層２で接着した複数枚の和紙３や、和紙の他面に接着した布地などで裏打ち養生を施してツキ板生地４を作り、このツキ板生地４に図柄透孔５を形成した化粧ツキ板６をその裏面で台板の表面に接着する。【選択図】図１
0003177618.tif 000002
【実用新案登録請求の範囲】
【請求項１】
ツキ板素地にその孔明け加工時における損傷を防ぐ裏打ち養生を施してツキ板生地を作り、このツキ板生地に図柄透孔を形成した化粧ツキ板をその裏面で台板の表面に接着することで、前記図柄透孔の縁辺から沈み込む図柄凹面を前記台板の表面に形成したことを特徴とする図柄凹面を有する木質化粧板。
【請求項２】
ツキ板素地の裏面に接着した和紙で前記ツキ板素地にその孔明け加工時における損傷を防ぐ裏打ち養生を施してツキ板生地を作り、このツキ板生地に図柄透孔を形成した化粧ツキ板を前記和紙の裏面で台板の表面に接着することで、前記図柄透孔の縁辺から沈み込む図柄凹面を前記台板の表面に形成したことを特徴とする図柄凹面を有する木質化粧板。
【請求項３】
ツキ板素地の裏面に接着した和紙と、この和紙の他面に接着した布地とで前記ツキ板素地にその孔明け加工時における損傷を防ぐ裏打ち養生を施してツキ板生地を作り、このツキ板生地に図柄透孔を形成した化粧ツキ板を前記布地の裏面で台板の表面に接着することで、前記図柄透孔の縁辺から沈み込む図柄凹面を前記台板の表面に形成したことを特徴とする図柄凹面を有する木質化粧板。
【請求項４】
ツキ板素地の裏面に接着した和紙と、その他面に接着した布地と、この布地の裏面に接着した和紙とで前記ツキ板素地にその孔明け加工時における損傷を防ぐ多層の裏打ち養生を施してツキ板生地を作り、このツキ板生地に図柄透孔を形成した化粧ツキ板を前記和紙の裏面で台板の表面に接着することで、前記図柄透孔の縁辺から沈み込む図柄凹面を前記台板の表面に形成したことを特徴とする図柄凹面を有する木質化粧板。
【考案の詳細な説明】
【技術分野】
【０００１】
本考案は、ツキ板と称する天然銘木を薄く切削した極薄木板を用いた木質化粧板に係り、特にこの考案は、図柄凹面を有する木質化粧板に関する。
【背景技術】
【０００２】
天然銘木調のツキ板を用いた従来の木質化粧板としては、本件出願人が先に提案した例えば、特公平６−２３０００号公報（特許文献１）に記載のような刺しゅう柄付き木質化粧板が周知である。
【０００３】
この従来例は、枚葉紙や布地等で裏打ち養生を施した大形ツキ板上に図柄加工を施した小形の飾りツキ板を取付け、この飾りツキ板を含めて大形ツキ板に刺しゅう模様を設けた所謂アップリケ調の化粧ツキ板を台板に接着した木質化粧板だから、化粧板表面に浮き上がる刺しゅう模様は表現できても、立体的に沈み込む手掘り感覚の趣向有る凹み模様は表現できないという根源的で切実な問題点が有る。
【０００４】
また上記従来例は、小形の飾りツキ板を含めて大形ツキ板に刺しゅう縫いを施した化粧ツキ板を有する木質化粧板だから、二枚以上のツキ板を重ね合わせて刺しゅう縫いはできず、上記化粧ツキ板の加工性が悪いという大きな問題点が有る。
【０００５】
さらに、前記特許文献１における化粧ツキ板の裏面には、接着材が浸透しない排油性刺しゅう糸の裏面糸が突出しているため、この裏面糸部分の高さを吸収して化粧ツキ板を台板に満遍なく平らに接着するには、上記裏面糸の突出高さよりも厚い大量の接着材が必要で、接着加工性が悪いし、不経済でもあるという根源的で切実な問題点が有る。
【先行技術文献】
【特許文献】
【０００６】
【特許文献１】特公平６−２３０００号公報
【考案の概要】
【考案が解決しようとする課題】
【０００７】
本考案は、前記従来例の各問題点を解消し、立体的に沈み込む手掘り感覚の優雅な図柄凹面を有する木質化粧板を加工性良く安価に多量提供することを目的とする。
【課題を解決するための手段】
【０００８】
上記本考案の目的は、ツキ板素地の裏面に複数枚の和紙または和紙と布地等の裏打ち部材を接着することで、前記ツキ板素地にその孔明け加工時における損傷を防ぐ裏打ち養生を施してツキ板生地を作り、このツキ板生地に図柄透孔を形成した化粧ツキ板をその裏面で台板の表面に接着することで、前記図柄透孔の縁辺から沈み込む図柄凹面を前記台板の表面に形成したことで達成できた。
【０００９】
ただし、前記「裏打ち養生」とは、本件出願では、ツキ板生地の孔明け加工時における生地のヒビ割れ等の損傷、その他の不具合を防止するための養生加工をいう。
【００１０】
なお、複数枚の前記ツキ板生地を不動に重合して周知の木板孔明け加工機械や、布地孔明け加工機械等で一挙に多数の図柄透孔を形成してもよく、また、同一図柄透孔を有する複数枚の化粧ツキ板を台板に順次に重合接着して用いてもよく、さらに前記布地の裏面に別の和紙を接着して、ツキ板生地の孔明け加工時における布地糸のホツレ出しを防いだり、前記裏打ち養生を強化してもよい。
【考案の効果】
【００１１】
本考案によれば、ツキ板素地にその孔明け加工時における損傷を防ぐ裏打ち養生を施してツキ板生地に図柄透孔を形成した化粧ツキ板をその裏面で台板の表面に接着することで、前記図柄透孔の縁辺からツキ板生地の厚さに応じて沈み込む手掘り感覚の優雅な図柄凹面を前記台板の表面に美しく形成できたという優れた効果が有る。
【００１２】
また、本考案によるツキ板生地には、前記従来例のような刺しゅう部分が全く無く、ツキ板生地に多数の図柄透孔を明ければ化粧ツキ板を構成できるので、複数枚の前記ツキ板生地を不動に重合して現用一般周知の精密級木板孔明け加工機械等で一挙に図柄透孔を形成できるから、ツキ板生地や化粧ツキ板の加工性が格段に向上し、図柄凹面を有する木質化粧板を安価に多量提供できるという優れた効果も有る。
【００１３】
さらに本考案における化粧ツキ板の裏面には、平坦な裏打ち部材が有るだけで、前記特許文献１のような排油性刺しゅうの裏面糸が無いから、本考案による化粧ツキ板を台板に満遍なく平らに接着するには、上記特許文献１の木質化粧板よりも大幅に少ない接着材で確実に接着でき、接着加工性が良く、経済的でもあるという優れた効果も有る。
【図面の簡単な説明】
【００１４】
【図１】本考案による化粧ツキ板の一例を示す一部切断斜視図
【図２】本考案に用いるツキ板生地の一例を示す斜視図
【図３】本考案による化粧ツキ板の要部拡大斜視図
【図４】本考案による化粧ツキ板を接着した木質化粧板の斜視図
【図５】本考案による化粧ツキ板の他の例を示す一部切断斜視図
【図６】本考案による化粧ツキ板のさらに他の例を示す一部切断斜視図
【考案を実施するための形態】
【００１５】
本考案を実施するための具体例を図面と共に説明すると、厚さ０．１ｍｍ〜０．３ｍｍ程度の極薄木板で作った図１・図２のようなツキ板素地１の裏面に図１のように熱可塑性またはボンド系の接着材層２を形成した二枚の和紙３を一枚ずつ順次に接着することで、前記ツキ板素地１にその孔明け加工時におけるヒビ割れ等の損傷を防ぐ可撓性の裏打ち養生を施し、図１のような可撓性のツキ板生地４を作る。
【００１６】
その後、上記ツキ板生地４に周知の孔明け加工手段で図１のような多数の図柄透孔５を形成して図１・図３のよう化粧ツキ板６を作り、この化粧ツキ板６を前記和紙３の裏面で図４のように台板７の表面に接着することで、前記図柄透孔５の縁辺から沈み込む図柄凹面８を台板７の表面に図４のように形成した本考案による木質化粧板９を構成できた。
ただし、前記接着材層２と和紙３の厚さは、ツキ板素地１の厚さとほぼ同一とした。
【００１７】
本考案による上記実施形態によれば、ツキ板素地１にその孔明け加工時におけるヒビ割れ等の損傷を防ぐ裏打ち養生を施してツキ板生地４を作り、このツキ板生地に多数の図柄透孔５を形成した化粧ツキ板６をその裏面で台板７の表面に接着したので、前記図柄透孔５の縁辺からツキ板生地４の厚さに応じて沈み込む手掘り感覚の優雅な図柄凹面８を前記台板７の表面に形成できた。
【００１８】
また、本考案によるツキ板生地４には、前記従来例のような刺しゅう部分が全く無く、ツキ板生地に図柄透孔を明ければ化粧ツキ板６を構成できるので、複数枚の前記ツキ板生地を不動に重合して現用一般周知の木板孔明け加工機械等で一挙に多数の図柄透孔５を形成できるから、ツキ板生地や化粧ツキ板の加工性が格段に向上し、図柄凹面８を有する木質化粧板を安価に多量提供できる。
【００１９】
さらに本考案における化粧ツキ板６の裏面には、平坦な和紙３などの裏打ち養生部材が有るだけで、前記特許文献１のような排油性刺しゅうの裏面糸が無いから、本考案による化粧ツキ板６を台板７に満遍なく平らに接着するには、上記特許文献１の木質化粧板よりも大幅に少ない接着材で確実に接着できる。
【００２０】
なお、同一図柄透孔５を有する複数枚の化粧ツキ板６を台板７に一枚ずつ順次強固に重合接着したり、同一図柄透孔５を有する複数枚の化粧ツキ板６を予め重合接着しておいたものを台板７に接着すれば、図柄透孔５の縁辺立ち上がり高さが、化粧ツキ板の重合枚数に応じて増加するので、より一層際立って立体的な陰影を有する手掘り感覚の優雅な沈み込み模様を台板７の表面に表現できる。
【００２１】
本考案における請求項３の考案のように、ツキ板素地１の裏面に図５のように接着した和紙３と、この和紙の他面に接着した布地１０とで前記ツキ板素地１にその孔明け加工時における損傷を防ぐ裏打ち養生を施してツキ板生地４を作れば、裏打ち養生作用が大きい一枚の布地１０を含めた裏打ち養生部材で、ツキ板生地４の裏打ち養生を強化でき、より一層確実にその孔明け加工時におけるヒビ割れ等の損傷を防止できた。
【００２２】
本考案における請求項４の考案のように、ツキ板素地１の裏面に図６のように接着した和紙３と、その他面に接着した布地１０と、この布地１０の裏面に接着した和紙３とで、前記ツキ板素地にその孔明け加工時におけるヒビ割れ等の損傷を防ぐ多層の裏打ち養生を施してツキ板生地４を作れば、このツキ板生地の孔明け加工時における布地糸のホツレ出しを防いだり、前記裏打ち養生を強化できる。
【実施例】
【００２３】
次に、裏打ち養生を施した可撓性のツキ板生地４に多数の図柄透孔５を明ける具体例としては、彫刻刀や孔明け打刻ポンチを用い、所望の図柄輪郭に沿わせ、手作業で図柄透孔５を明けてもよいが、上記多数の図柄透孔５を効率良く素早く、しかも美しく明けるには、現用一般周知の布地孔明け機械とか、板材孔明け機械や、高速噴射水流孔明け加工機械等を用いればよく、その他本件出願人が先に提案した特開２００６−２９１４０７号公報記載の環縫いミシンを転用した被裁断生地の連続裁断装置を用いてもよい。
【００２４】
すなわち、現用一般の環縫いミシンにおける上昇時回転可能な昇降針棒の下端に突設したループ縫い用鉤針に代えて、この鉤針とほぼ同大で先細偏平の凹み傾斜刃先を有する周知の裁断針を前記針棒の下端に突設し、この裁断針の下降前に下降し、その上昇後に上昇するツキ板生地押さえ用周知のニップルを裁断針の周囲に昇降可能に備え、前記裁断針の昇降に伴いその刃先が貫通後抜去可能な位置に前記裏打ち養生を施してツキ板生地を上記裁断針の刃先幅以下の送りピッチで水平送り可能に張設する。
【００２５】
次いで、前記ニップルをツキ板生地の上面に弾接させた状態で裁断針を下降させることで、前記凹み傾斜刃先でツキ板生地を斜め押し切り後、裁断針の上昇後に前記ニップルを上昇させてツキ板生地を所望方向に水平送りし、この送り方向に裁断針の傾斜刃先を向け、ニップルによりツキ板生地を押さえた状態で裁断針を下降させてツキ板生地を所望方向に切断するという一連の部分裁断動作を前記ツキ板生地送り直後毎に順次素早く繰り返すことで、ツキ板生地に所望の図柄透孔を素早く、しかも美しく明けることができる。
【００２６】
上記の図柄透孔明け動作を自動化するには、前記裏打ち養生を施してツキ板生地を架台上に可動設置した周知の可動刺繍枠に水平張設し、この可動刺繍枠および前記裁断針と、その上昇後に動くニップルをそれぞれ予めプログラム化した現用一般の孔明け加工切断パターン情報に従って順次に駆動制御することで、ツキ板生地に多数の図柄透孔を自動的に素早く、しかも美しく明けることができる。
【産業上の利用可能性】
【００２７】
本考案による化粧ツキ板６には可撓性があるから、円柱の外周面とか、円筒の内周面や外周面の一部のようなシリンドリカル曲面に対しても、化粧ツキ板６の可撓方向を上記曲面の曲がり方向に向けて接着使用できる。
【符号の説明】
【００２８】
１…ツキ板素地
２…接着材層
３…和紙
４…ツキ板生地
５…図柄透孔
６…化粧ツキ板
７…台板
８…図柄凹面
９…木質化粧板
１０…布地
【図１】
0003177618.tif 000003
【図２】
0003177618.tif 000004
【図３】
0003177618.tif 000005
【図４】
0003177618.tif 000006
【図５】
0003177618.tif 000007
【図６】
0003177618.tif 000008